(57)【要約】      （修正有）【課題】肘置きのない和室用の椅子を肘置き機能付きに変更できるだけではなく、椅子への取り付け作業や取り外し作業を、簡単且つ迅速にでき、また使用時に外側方に力が加わっても位置ずれすることを防止でき、更には和室用の椅子に見栄え良く一体感を持って取り付けできる脇息を提供する。【解決手段】支脚１を、和室用の椅子３の座部４の裏側に、座部４の前後方向に延ばされて設けられている桟５の内側面に係合する上側の係合部１ａと、また椅子３の片側の前後の脚６に架け渡されている桟７の外側面に係合する下側の係合部１ｂとを備えて形成する。上側の係合部１ａと下側の係合部１ｂの係合作用で椅子３に取り付け可能に形成する。【選択図】図１
0003206593.tif 000002
【実用新案登録請求の範囲】
【請求項１】
支脚の上部に肘置き部分が設けられ、和室用の椅子の傍らに置いて使用する脇息であって、上記の支脚が、上記の椅子の座部の裏側に、座部の前後方向に延ばされて設けられている桟の内側面に係合する上側の係合部と、また椅子の片側の前後の脚に架け渡されている桟の外側面に係合する下側の係合部とを備え、上側の係合部と下側の係合部の係合作用で上記の椅子に取り付け可能に形成されていることを特徴とする脇息。
【請求項２】
支脚の上部に肘置き部分が設けられ、和室用の椅子の傍らに置いて使用する脇息であって、上記の支脚が、上記の椅子の片側の前後の脚に架け渡されている桟に嵌め合わされる嵌合部を備え、この嵌合部が上記の桟に嵌合されて上記の椅子に取り付け可能に形成されていることを特徴とする脇息。
【請求項３】
請求項２記載の脇息であって、嵌合部が支脚の下側から上方に向かって切り欠き状に形成され、桟に上から嵌合可能に形成されていることを特徴とする脇息。
【考案の詳細な説明】
【技術分野】
【０００１】
本考案は、脇息に関し、更に詳しくは和室用の椅子に取り付けて使用する脇息に関するものである。
【背景技術】
【０００２】
従来、この種の脇息としては、例えば特許文献１に記載されているものがある。
この従来品は、脇息の基台から内側方に下位支持板が突き出され、この下位支持板の上方に上位抑え板が設けられ、上下の各板で座椅子の座部を挟み、蝶ナットで締め付けて座椅子に取り付けることができるよう形成されていた。
【０００３】
従って、従来品によれば、肘置き機能のない座椅子を、肘置き機能付きに変更でき、座椅子の座り心地を高めることができる。
しかしながら、従来品は、上記の通り、上下の板で座椅子の座部を挟み、蝶ナットで締め付けて座椅子に取り付ける構造であった。
【０００４】
そのため、従来品は、座椅子への取り付け作業や、取り外し作業が面倒で不便であったから、従来品を使用すると、この種の作業に手間暇がかかるのを避けられず、その結果、使い勝手が悪い、という問題点があった。
【０００５】
また従来品は、上記の通り、上下の板で座椅子の座部を挟み、蝶ナットで締め付ける構造のため、使用者によって、蝶ナットの締め付け具合にばらつきが生じるのを避けられなかった。その結果、従来品によると、使用者が肘置き部分に肘を置き、外側方に体重をあずけると、脇息が外側に動いて位置ずれするおそれがある、という問題点があった。
【０００６】
また従来品は、座椅子を対象にしているものであり、蝶ナット等を露出した状態で備えていた。そのため、従来品は、和室用の椅子に、体裁良く一体感を持って取り付けることができなかった。
【先行技術文献】
【特許文献】
【０００７】
【特許文献１】実用新案登録第３１６２９１６号公報
【考案の概要】
【考案が解決しようとする課題】
【０００８】
本考案は、このような従来品の問題点に鑑み、提案されたものである。
従って本考案の解決しようとする技術的課題は、肘置きのない和室用の椅子を肘置き機能付きに変更できるだけではなく、椅子への取り付け作業や取り外し作業を、簡単且つ迅速にでき、また使用時に外側方に力が加わっても位置ずれすることを防止でき、更には和室用の椅子に見栄え良く一体感を持って取り付けできるよう形成した、使い勝手の良い脇息を提供することにある。
【課題を解決するための手段】
【０００９】
本考案は、上記の課題を解決するため、次のような技術的手段を採る。
即ち、本考案は、図１等に示されるように、支脚１の上部に肘置き部分２が設けられ、和室用の椅子３の傍らに置いて使用する脇息であって、上記の支脚１が、上記の椅子３の座部４の裏側に、座部４の前後方向に延ばされて設けられている桟５の内側面に係合する上側の係合部１ａと、また椅子３の片側の前後の脚６に架け渡されている桟７の外側面に係合する下側の係合部１ｂとを備え、上側の係合部１ａと下側の係合部１ｂの係合作用で上記の椅子３に取り付け可能に形成されていることを特徴とする（請求項１）。
【００１０】
本考案の場合、支脚１の高さや形状等は自由である。また支脚１は、通常、木製であるが、金属製であっても良い。また本考案は、上側の係合部１ａと下側の係合部１ｂの形態も任意である。
【００１１】
また本考案の目的を達成する他の構成としては、例えば図７、図８等に示されるものがある。
即ち、この本考案は、支脚１の上部に肘置き部分２が設けられ、和室用の椅子３の傍らに置いて使用する脇息であって、上記の支脚１が、上記の椅子３の片側の前後の脚６に架け渡されている桟７に嵌め合わされる嵌合部１２を備え、この嵌合部１２が上記の桟７に嵌合されて上記の椅子３に取り付け可能に形成されていることを特徴とする（請求項２）。
【００１２】
而して、この本考案の場合は、嵌合部１２が支脚１の下側から上方に向かって切り欠き状に形成され、桟７に上から嵌合可能に形成されているのが好ましい（請求項３）。
【００１３】
なぜならこれによると、桟７に嵌合部１２を上から嵌合させることができ、脇息の設置作業や取り外し作業を、楽に、且つ迅速にできるからである。
【考案の効果】
【００１４】
本考案の脇息は、このように形成されているから、これによれば、肘置きのない和室用の椅子を肘置き機能付きに変更できるだけではなく、椅子への取り付け作業や取り外し作業を、簡単且つ迅速にできる。
【００１５】
また本考案は、従来品のように上下から板で挟み付けて取り付ける構造ではない。従って、これによれば、使用時に外側方に力が加わっても、位置ずれすることがない。
【００１６】
更に本考案は、和室用の椅子の特性（畳を傷めないよう接地用の桟が脚に設けられている特性）を利用しているため、これによれば、椅子に見栄え良く、また椅子に一体感を持って取り付けることができる。
【図面の簡単な説明】
【００１７】
【図１】本考案の脇息の好適な一実施形態を示す使用状態時の正面図である。
【図２】同上脇息の使用状態時の斜視図である。
【図３】同上脇息の斜視図である。
【図４】同上脇息の側面図である。
【図５】図４のＶ−Ｖ線における使用状態時の要部断面図である。
【図６】同上脇息の他の実施形態を示す斜視図である。
【図７】本考案の他の構成に係る脇息の使用状態時の正面図である。
【図８】図７の脇息の使用状態時の斜視図である。
【図９】図７の脇息の斜視図である。
【図１０】図７の脇息の側面図である。
【図１１】図１０のＸＩ−ＸＩ線における断面図である。
【図１２】図７の脇息の他の実施形態を示し、Ａは要部正面図、Ｂは要部斜視図である。
【考案を実施するための形態】
【００１８】
以下、本考案を実施するための好適な一実施形態を、添付図面に従って説明する。
本考案は、図１等に示されるように、支脚１の上部に肘置き部分２が設けられているものであり、和室用の椅子３の傍らに置いて使用する脇息である。
【００１９】
上記の支脚１は、椅子３の座部４の裏側に、この座部４の前後方向に延ばされて設けられている桟５の内側面に係合する上側の係合部１ａと、また椅子３の片側の前後の脚６に架け渡されている桟７の外側面に係合する下側の係合部１ｂとを備え、上側の係合部１ａと下側の係合部１ｂの係合作用で上記の椅子３に取り付け可能に形成されている。
【００２０】
座部４の前後方向に延ばされて設けられている桟５は、脇息の右置き、左置きに対応できるよう、この実施形態では座部４の裏側に、左右対称状に設けられている。また支脚１は、この実施形態では図２〜図５等に示されるように、同形状の一対の板材８が間隔をあけて、平行且つ対向状に配置され、各板材８に横木９が水平に平行一対状、且つ上側に１本の計３本渡されて設けられている。そして、各板材８の上部に、肘置き部分２が上から見て弧状に渡されて設けられている。
【００２１】
また各板材８は、椅子３の座部４の下側に入り込ませる突き出し片部８ａを備えて形成されている。そして、この実施形態では、この突き出し片部８ａの先端上部に、上側の係合部１ａが形成されている。上側の係合部１ａは、図３、図５に示されるように、この実施形態では、桟５の内側面に係合する垂直面１ａ１と、桟５の下面に係合する突き出し片部８ａの上端面１ａ２とでなり、板材８を正面から見て、図面上、Ｌ字形に形成されている。
【００２２】
また椅子３の片側の前後の脚６に架け渡されている桟７は、この実施形態では脚６の下端部の外側に、例えば畳等の接地面に当接するよう設けられている。下側の係合部１ｂは、この実施形態では支脚１の各板材８の下端内側の垂直状の板厚面で形成されている。
【００２３】
次に、この実施形態の本考案品の使用例を説明する。
【００２４】
先ず、使用者は、各板材８の突き出し片部８ａを椅子３の座部４の下側に入り込ませ、図１等に示されるように、椅子３の座部４の裏側の桟５に上側の係合部１ａを係合させる。本考案品は、上側の係合部１ａが座部４の裏側の桟５に係合すると、下側の係合部１ｂが椅子３の片側の前後の脚６に架け渡されている桟７の外側面に係合する。これにより本考案品は、椅子３に取り付けられ、椅子３の傍らに起立状に配置される。
【００２５】
而して、本考案品を椅子３から取り外す場合は、先ず、使用者は、椅子３の内側に支脚１を傾ける。すると、上側の係合部１ａと下側の係合部１ｂが、桟５、７から離され、係合状態が解かれる。
【００２６】
次に、使用者は、突き出し片部８ａを座部４の下側から抜き取るように本考案品を外側に取り出す。これにより、本考案品が椅子３から取り外される。
【００２７】
以上の処において、本考案は、支脚１等の形状やデザイン、材質等は自由である。図６の実施形態は、畳を傷めることがないよう、支脚１が、畳に当接する接地板１０を備えて形成されている例である。
【００２８】
また本考案は、この実施形態に示されるように、上側の係合部１ａと下側の係合部１ｂの構造も、上例に限定されるものではない。この実施形態の場合、上側の係合部１ａは、突き出し片部８ａの先端上部に渡されているバー１１の内側の垂直面１ａ１と、突き出し片部８ａの上端面１ａ２とで形成されている。
【００２９】
また下側の係合部１ｂは、接地板１０の内側の垂直面でなる。上側の係合部１ａと下側の係合部１ｂが、この実施形態のように形成されている場合は、桟５、７との接触面積が大きくなるから、係合力が高くなり、安定性が良くなる、という利点がある。
【００３０】
また本考案の他の構成としては、図７、図８等に示されるものがある。上例と同一部材、同一箇所には、同一の符号を付し、詳しい説明は省略する。
【００３１】
この本考案の脇息は、支脚１が、和室用の椅子３の片側の前後の脚６に架け渡されている桟７に嵌め合わされる嵌合部１２を備え、この嵌合部１２が上記の桟７に嵌合されて椅子３に取り付け可能に形成されている。
【００３２】
支脚１は、同形状の板材８が平行一対状に対向配置され、横木９で接続されている。横木９は、図１０、図１１等に示されるように、この実施形態では支脚１の上下位置に設けられている。また支脚１の下端部は、畳を傷めることがないよう、板材８の板幅より大きい幅の長板１３が取り付けられている。
【００３３】
また嵌合部１２は、各板材８の下部の対向位置に、下側から上方に向かって切り欠かれ、逆凹溝状に形成されている。嵌合部１２の高さは、桟７の高さより幾分高く形成され、嵌合部１２の幅は桟７との嵌合時にがたつくことがないよう、桟７の幅に合わされている。
【００３４】
この実施形態の場合は、嵌合部１２が、上記のように形成されているため、上から桟７に嵌め挿して嵌合できる。従って、これによれば、使用者は、本考案品を、楽に且つ迅速に、椅子３に取り付けたり、取り外すことができる。
【００３５】
次に、この実施形態の本考案品の使用例を説明する。
先ず、使用者は、嵌合部１２を桟７に上からあてがい、押圧する。これにより、図７に示されるように、嵌合部１２が桟７に嵌合し、支脚１が畳に当接し、椅子３の傍らに本考案品を設置できる。
【００３６】
また本考案品を椅子３から取り外す場合は、椅子３を押え付けた状態で本考案品を持ち上げる。これにより、嵌合部１２の嵌合状態が解かれ、本考案品の片付けが可能になる。
【００３７】
以上の処において、この本考案品の場合も、支脚１や嵌合部１２の形状、構造等は自由である。また嵌合部１２は、例えば下側の開口が下方に向かって末広がりに形成されているのでも良い。この場合は、桟７へ嵌合し易くなるからである。
【００３８】
また嵌合部１２は、図１２Ａに示されるように、並列状に複数形成されているのでも良い。この場合は、本考案品を椅子３に近づけたり、遠ざけて設置でき、設置間隔を調節できるからである。
【００３９】
また本考案は、同図Ｂに示されるように、支脚１が、畳に当接する長方形状の接地板１０を備えて形成され、接地板１０の片側に、断面フック状の嵌合部１２が、接地板１０の長手方向に沿って長尺状に形成されているのでも良い。この場合は、桟７との嵌合状態が長くなり、その分、本考案品を、椅子３に安定的に取り付けることができるからである。
【符号の説明】
【００４０】
１      支脚
１ａ    上側の係合部
１ｂ    下側の係合部
２      肘置き部分
３      和室用の椅子
４      座部
５      座部の前後方向に延ばされて設けられている桟
６      脚
７      椅子の片側の前後の脚に架け渡されている桟
【図１】
0003206593.tif 000003
【図２】
0003206593.tif 000004
【図３】
0003206593.tif 000005
【図４】
0003206593.tif 000006
【図５】
0003206593.tif 000007
【図６】
0003206593.tif 000008
【図７】
0003206593.tif 000009
【図８】
0003206593.tif 000010
【図９】
0003206593.tif 000011
【図１０】
0003206593.tif 000012
【図１１】
0003206593.tif 000013
【図１２】
0003206593.tif 000014